(57)【要約】【課題】本発明の重要な目的は、歯科作業模型の梱包具とその梱包方法と、納品方法を構築し提供することで、前記歯科作業模型の台を必ず再使用可能とする為の環境を整備し定着させる、歯科補綴物の作成コストの削減と納品時の物量と作成時の石膏による産業廃棄物の産出量を大幅に削減し、環境保護と共に其れに掛かる処理費用をも削減することを可能とする。【解決手段】本発明は、歯科作業模型の土台分が台とその上部に嵌め合せたプレート部とに分かれる貼り付け式の歯科作業模型を使い、歯科作業模型を簡略に完成させる、貼り付け式の歯科作業模型の梱包方法と歯科医院への納品方法に関し、張り付け式歯科作業模型の台分を必ず再使用可能とすることで歯科補綴物納品時の物量と歯科医療における石膏による産業廃棄物の産出量を大幅に削減することで歯科医療分野における省エネとエコに貢献する。 【選択図】図１
2014042561.tif 000002
【特許請求の範囲】
【請求項１】
歯科技工士によって歯科補綴物を作成するために用いられる支台歯を備える歯科印象模型と、この歯科印象模型を上面に固定すると共に、下面に複数のピンを垂下するプレートと、この複数のピンが差込まれる歯科作業模型台の貫通孔に対応して形成された貫通孔を有する基片、及びこの基片の左右立ち上り片とで構成した合成樹脂、紙、金属等の薄板にて形成した梱包具本体とにより成ることを特徴とした歯科作業模型用梱包具。
【請求項２】
前記梱包具本体は、基片の一方縁よりカール状に左右立ち上り片を形成したことを特徴とする請求項１記載の歯科作業模型用梱包具。
【請求項３】
前記梱包具本体は、基片の隣接する貫通孔間に破断用ミシン目を形成したことを特徴とする請求項１記載の歯科作業模型用梱包具。
【請求項４】
前記梱包具は、歯科補綴物を嵌合された請求項１に記載の歯科作業模型を前記歯科作業模型台から抜き取り、これに対抗する歯科印象対合歯模型を載積すると共に、前記下部の複数のピンを請求項１に記載の歯科作業模型用梱包具の上部から差し込み、前記梱包具本体に被覆された状態で歯科技工所から搬出し、歯科医院に納品され、歯科医院では、予め前記歯科作業模型台と同じ形状の前記台を用意しており、これに納品された前記梱包具の複数のピンを上部から差し込み、補綴物の適合等の確認をするための歯科作業模型とする納品の方法であって、このように分離された歯科作業模型の納品形態を特徴とした歯科作業模型用梱包具。
【発明の詳細な説明】
【技術分野】
【０００１】
本発明は歯科作業模型の梱包具とその納品方法に関する。
【背景技術】
【０００２】
従来歯科技工士が作成する歯科補綴物は、歯科医院で患者の口腔内から採取された上下歯科印象模型を一対として名前を付けて並べてあり、空気を密封した緩衝剤や、クッション材等で包む等、破損を防ぎながら歯科技工所へ運搬され、そこで前記印象模型の土台を石膏等により作成した後、支台歯の切断による切り出し等を行い、歯科作業模型を完成させた後歯科補綴物を作成し、その時使用した歯科作業模型と前記対合歯模型と共に前記補綴物を、前記梱包方法で梱包して歯科医院へ運搬、納品されている。
近年、歯科作業模型の土台分が、台とその上部に嵌め合せるプレート部とに分かれる歯科作業模型を使い、このプレート部の上部に歯科印象模型を接着剤等で張り付けた後、支台歯の切断による切り出しを行い、歯科作業模型を簡略に完成させる歯科作業模型が普及しつつある。
前記歯科作業模型の使用目的として、歯科技工士が歯科補綴物を、歯科医院へ納品する際の前記台の再使用を可能としたことで、多義に渡りコストダウンや石膏による産業ゴミの産出量の削減を謳っているが、一度歯科医院へ納品した歯科作業模型の台を回収することが難しく、実際には前記目的を達成できていない現状がある。
また、現在の納品方法では、前記納品所の模型を包む手間と時間に加え、納品後のかさばるゴミを毎回産出する欠点がある。
【先行技術文献】
【特許文献】
【０００３】
【特許文献１】国際公開特許２０１０−１４７０６０公報
【発明の概要】
【発明が解決しようとする課題】
【０００４】
本発明の重要な目的は、歯科作業模型の梱包具Bとその梱包方法と、歯科医院への具体的な納品方法を構築し提供することで、前記歯科作業模型の台Eを必ず再使用可能とする為の環境を整備し定着させ、前記欠点を解消する事にある。その結果、歯科補綴物の作成コストの削減と納品時の物量と作成時の石膏による産業廃棄物の産出量を大幅に削減し、環境保護と共に其れに掛かる処理費用をも削減することを可能とする。
【課題を解決するための手段】
【０００５】
本発明は、歯科技工士によって歯科補綴物を作成するために用いられる支台歯を備える歯科印象模型と、この歯科印象模型を上面に固定すると共に、下面に複数のピンを垂下するプレートと、この複数のピンが差込まれる歯科作業模型台の貫通孔に対応して形成された貫通孔を有する基片及びこの基片の左右立ち上り片とで構成した合成樹脂、紙、金属等の薄板にて形成した梱包具本体とにより成ることを特徴とするものである。更に本発明の前記梱包具本体は、基片の一方縁よりカール状に左右立ち上り片を形成したことを特徴とするものである。
更に本発明は、前記梱包具本体は、基片の隣接する貫通孔間に破断用ミシン目を形成したことを特徴とするものである。更に本発明の前記梱包具は、歯科補綴物を嵌合された請求項１に記載の歯科作業模型を前記歯科作業模型台から抜き取り、これに対抗する歯科印象対合歯模型を載積すると共に、前記下部の複数のピンを差し込み、前記梱包具本体に被覆された状態で歯科技工所から搬出し、歯科医院に納品される。歯科医院では、予め前記歯科作業模型台と同じ形状の前記台を用意しおくという歯科作業模型を、上部と台に分離させた歯科作業模型の納品形態を特徴とするものである。  
【発明の効果】
【０００６】
（１）    請求項１により前記梱包具は、歯科技工士によって歯科補綴物を作成するために用いられる支台歯を備える歯科印象模型と、この歯科印象模型を上面に固定すると共に、下面に複数のピンを垂下するプレートと、この複数のピンが差込まれる歯科作業模型台の貫通孔に対応して形成された貫通孔を有する基片及びこの基片の左右立ち上り片とで構成した前記梱包具は歯科補綴物を嵌合された歯科作業模型の上部とこれに対抗する歯科印象対合歯模型を、歯科医院への納品部として、歯科作業模型の台から分離出来る事で歯科作業模型の台を必ず再使用可能とする為の環境を整備できる。
【０００７】
（２）    請求項２により、前記梱包具は、歯科作業模型の納品部である、歯科作業模型を上下それぞれに固定できると共に運搬時の衝撃から保護できる
【０００８】
（３）    請求項３により、前記梱包具は、歯科医院で前記作業模型の台と同じ形状の台を予め用意しておき、前記貫通孔を貫くミシン目を備えた面を底面として前記ピンを前記貫通孔に差し込み固定したまま、前記ミシン目に沿って引き裂き梱包具を撤去することで、予め歯科医院で用意しておいた前記台に簡潔に装着できると共に歯科補綴物の出来具合をも素早く確認できる。
【０００９】
（４）    請求項４により、前記梱包具は、歯科補綴物を嵌合された歯科作業模型を前記歯科作業模型台から抜き取り、これに対抗する歯科印象対合歯模型を載積すると共に、前記下部の複数のピンを差し込み、前記梱包具本体に被覆された状態で歯科技工所から搬出し、歯科医院に納品される。歯科医院では、予め前記歯科作業模型台と同じ形状の前記台を用意しおくという分離された歯科作業模型の納品方法を提供することで、歯科作業模型の台を必ず再使用可能とする為の環境を整備し定着させることができる。その結果、歯科補綴物の作成コストの削減と納品時の物量と作成時の石膏による産業廃棄物の産出量を大幅に削減することでエコに繋がると共に其れに掛かる処理費用をも削減することを可能とする。
また、歯科医院に於いては、前記梱包具を装着したままの状態で、歯科技工所から納品されることで患者の目に触れる機会を限定でき、特に幼少の患者から恐怖感を排除できると共に、治療時間の短縮にも貢献できる。更に、前記梱包具にカラフルな色や、切抜き部等のデザインを加えるなど工夫をすることで、特に幼少の患者の治療時等恐怖心等を軽減することが可能であると共に治療時間の短縮と、歯科医院の治療室の雰囲気創りにも貢献できる。
【図面の簡単な説明】
【００１０】
【図１】本発明の実施の形態1における歯科作業模型梱包具の引き裂き方向の斜視図。
【図２】本発明の実施の形態における歯科作業模型梱包具の展開図。
【図３】歯科作業模型の分解斜視図解図。
【図４】歯科作業模型の載積.斜視図。
【図５】本発明の実施の形態における歯科作業模型梱包具の分解斜視図解図である。
【図６】本発明の実施の形態1における歯科作業模型梱包具装着及び運搬時の斜視図解図。
【図７】本発明の実施の形態における歯科作業模型梱包具の台装着時の斜視図解図。
【図８】本発明の実施の形態における納品後の歯科作業模型梱包具撤去後の斜視図。
【図９】本発明の実施の形態2における歯科作業模型梱包具装着及び運搬時の側面図。
【図１０】従来からの歯科作業模型の納品時の載積斜視図。
【発明を実施するための形態】
【００１１】
以下本発明を実施例として掲げた図面に基づいて説明すると、図１は本発明の実施の形態である歯科作業模型用梱包具Bの実施例を示すもので、歯科医院に予め用意された歯科作業模型の台E’の上面から、歯科技工所で納品の為に梱包された歯科作業模型の上部を差し込み固定された状態を示し、破断用ミシン目Aに沿って、図１に示す状態のまま矢印２の方向へ引き裂くことで梱包具Bを撤去するための破断用ミシン目Aを示すものである。
【００１２】
図２は、本発明の歯科作業模型用梱包具Bで、破断用ミシン目Aと貫通孔Cを備える。この貫通孔Cは、歯科技工士によって歯科補綴物を作成するために用いられる図３に記載の支台歯を備える歯科印象模型Gと、この歯科印象模型Gを上面に固定するプレートH と共に、下面に複数のピンFを垂下するプレートHと、この複数のピンFが差込まれる、歯科作業模型台Eの貫通孔C’に対応して形成された貫通孔Cを示す。
更に貫通孔Cを備える基片及びこの基片の左右立ち上り片とで構成した本発明の梱包具Bは、合成樹脂、紙、金属等の薄板にて形成するのが好ましい。更に貫通孔Cを備えた、基片の左右立ち上がり片は、歯科補綴物を作成するために用いられる歯科印象対合歯模型Kと、これに対抗する支台歯Iを備える歯科印象模型Gと、この歯科印象模型Gを上面に固定するHとを被覆することを目的として構成する。
【００１３】
図３は、歯科技工士によって歯科補綴物を作成するために用いられる歯科印象対合歯模型Kと、これに対抗する支台歯Iを備える歯科印象模型Gと、この歯科印象模型Gを上面に固定すると共に、下面に複数のピンFを垂下するプレートHと、この複数のピンFが差込まれる歯科作業模型台Eの貫通孔C’を示す。
【００１４】
前記、歯科印象対合歯模型Kと、これに対抗する支台歯Iを備える歯科印象模型Gと、この歯科印象模型Gを上面に固定すると共に、下面に複数のピンFを垂下するプレートHとを載積させた、歯科作業模型の上部をLとし本発明の梱包具で、被覆され、納品される歯科作業模型上部として示した。
【００１５】
図４は、図３記載の支台歯Iを含む歯科印象模型G を接着剤等で上面に固定する歯科作業模型のプレートHと下部のピン部Fを模型の台Eの貫通孔C’に差し込み固定し、前記支台歯Iを図４記載の切断線Dで切出しを行った後、前記模型Gの上部に歯科印象対合歯模型Kを載積し、石膏により咬合器に装着後歯科技工士により歯科補綴物Jを作成される。その後歯科医院へ納品の為に咬合器から外され、前記補綴物を含む前記模型の台Eより抜きとられた図５に記載の歯科補綴物を嵌合された前記切断された支台歯Iを含む前記模型Gを張り付けられたプレートHが、バラバラにならないように、図2ないし図５に記載の歯科作業模型梱包具Bの貫通孔Cに前記ピン部を差し込み固定すると共に前記対合歯模型Kを含む歯科作業模型納品部Lを被覆するように梱包具Bの基片の左右立ち上がり片の両端を図５に記載の矢印１の方向へ折り上げて合わせ、図６に記載の如く粘着固定する。
【００１６】
図６に記載の前記梱包具Bに梱包された状態で、前記納品部Lは、歯科技工所より納品先である歯科医院へ搬出・運搬・納品される。この時歯科作業模型納品部Lが破損することの無いように、保護できる強度を必要とするは合成樹脂、紙、金属等の薄板で作成される前記梱包具Bを示す。
【００１７】
歯科医院では前記作業模型の台と同じ形状の台E’ を予め用意しておき、図５に記載の如く前記基片の隣接する貫通孔Cの間にミシン目Aを形成して図６に記載の如く前記貫通孔Cより突出した前記ピン部Fを、図7に記載の如く前記E’の貫通孔C’に差し込み固定し、図１に記載の如くミシン目Aに沿って矢印２の方向へ引き裂き梱包具Bを撤去することで、図８に記載の如く、予め歯科医院で用意しておいた前記台E′に簡潔に装着できると共に歯科補綴物の出来具合をも素早く確認できる。
【実施例１】
【００１８】
図９に記載の前記梱包具Bの基片の一方縁よりカール状に左右立ち上り片を形成したことで、支台歯Iを含む前記模型Gを張り付けられたプレートHと、対向する前記対合歯模型とをそれぞれ巻きつけるように梱包することで、歯科作業模型納品部Lが破損することの無いように、保護できる強度を必要とするは合成樹脂、紙、金属等の薄板で作成される前記梱包具Bを示す。
【００１９】
図１０に記載の支台歯Iを含む歯科印象模型G を接着剤等で上面に固定する歯科作業模型のプレートHと下部のピン部Fを模型の台Eの貫通孔C’に差し込み固定し、前記支台歯Iを図４記載の切断線Dで切出しを行った後、前記模型Gの上部に歯科印象対合歯模型Kを載積し、石膏により咬合器に装着後歯科技工士により歯科補綴物Jを作成される。その後歯科医院へ納品の為に咬合器から外され、前記補綴物を含む前記模型の台Eと共に歯科医院へ搬出・納品されていた形態を示した。この形態であったため、前記歯科作業用模型台は、再使用されること無く破棄されることがあった。
【００２０】
歯科医院に於いては、前記梱包具を装着した歯科作業模型の納品方法を取り入れることで患者の目に触れる機会を限定できることから、前記基片の左右立ち上がり片にカラフルな色や、切抜き部等のデザインを加えるなど工夫をすることで、特に幼少の患者の治療時等恐怖心等を軽減することが可能であると共に治療時間の短縮と、歯科医院の治療室の雰囲気創りにも貢献できる。
【００２１】
図６ないし図７に記載の如く両端を粘着固定することで、歯科技工士が歯科補綴物Jを作成するために切断により切り出した支台歯Iを含む歯科印象模型Gを張り付けたプレートHがバラバラになることなく、一塊の納品物として簡潔に歯科医院へ運搬及び納品できるが、歯科医院では歯科医師、または歯科衛生士はゴム製の手袋を装着していることが多く、前記手袋が破損することなく治療出来る事が必要とされるため、ホッチキス等の仕様は避けるべきであることから、前記固定方法を粘着固定としたが、粘着力への配慮が必要となる。また、粘着に限定する訳では無く、嵌め合せる方法でもよく、運搬時に前記両端が外れることなく固定できれば固定方法は限定しない。
【００２２】
歯科作業模型の、土台分が台とその上部に嵌め合せたプレートとに分かれる貼り付け式の歯科作業模型を使うことで、歯科作業模型を簡略に短時間で完成させる貼り付け式の歯科作業模型の梱包方法と歯科医院への納品方法に関し、張り付け式歯科作業模型の台分を必ず再使用可能とすることで歯科補綴物納品時の物量と歯科医療における石膏による産業廃棄物の産出量を大幅に削減することで歯科医療分野における省エネとエコに貢献でき、また、空気を挟み込んだ樹脂製のシートを使う従来の梱包方法によるごみの産出を防ぐことでもエコに貢献できる。
【産業上の利用可能性】
【００２３】
本発明は歯科補綴物の梱包と納品方法を提供することで歯科技工における産業廃棄物産出の削減とそれに費やす処理コストの削減に利用でき、歯科医療分野における省エネとエコに貢献するものである。
【符号の説明】
【００２４】
A  ミシン目
B  梱包具
C  貫通孔
C’貫通孔
D  切断線
E  歯科作業模型の台
E’  歯科作業模型の台
F  ピン
G  支台歯を含む歯科印象模型
H  プレート
I  支台歯
J  歯科補綴物
K  歯科印象対合歯模型
L  歯科作業模型の上部
M  歯科作業模型
１  折り上げ方向
２  引き裂き方向
【図１】
2014042561.tif 000003
【図２】
2014042561.tif 000004
【図３】
2014042561.tif 000005
【図４】
2014042561.tif 000006
【図５】
2014042561.tif 000007
【図６】
2014042561.tif 000008
【図７】
2014042561.tif 000009
【図８】
2014042561.tif 000010
【図９】
2014042561.tif 000011
【図１０】
2014042561.tif 000012